(57)【要約】【課題】  フイルタープレスの原液供給板の一部を着脱可能とし、原液の供給回路の点検と清掃を容易とする。【解決手段】  原液通路（４ａ）を設けた嵌着板（２）に給液路用の凹溝（６）と、この嵌着板（２）の両側部に蟻溝（７）を有する脚部（８）を形成し、両側面に差込部（９、９）を設けた扁平板（３）を嵌着板（２）に抜差し自在とすると共に、嵌着板（２）の凹溝（６）の適所に突起部（１１）を設け、この突起部（１１）に板バネ（１３）を配設して、扁平板（３）に板バネ（１３）の係合溝（１４）を設けたもので、嵌着板（２）から扁平板（３）の着脱が容易となり、繊維などによる閉塞現象が起こっても、分解・組付けが早く行なわれ、メンテナンスが容易となる。【選択図】      図１
2005144200.tif 000002
【特許請求の範囲】
【請求項１】
前後に貫通する原液通路（４）と、この原液通路（４）から分岐する給液路（５）を設けた二つ割り状の原液供給板（１）において、原液通路（４ａ）を設けた嵌着板（２）に給液路用の凹溝（６）と、この嵌着板（２）の両側部に蟻溝（７）を有する脚部（８）を形成すると共に、扁平板（３）の両側面に差込部（９、９）を設け、この扁平板（３）を嵌着板（２）に抜差し自在としたことを特徴とするフイルタープレスの原液供給板。
【請求項２】
上記嵌着板（２）の凹溝（６）の適所に突起部（１１）を形成して、この突起部（１１）に板バネ（１３）を配設し、扁平板（３）に板バネ（１３）の係合溝（１４）を設けたことを特徴とする請求項１に記載のフイルタープレスの原液供給板。
【請求項３】
芯板（１８）を貫通する原液供給路（２３）の周部に凹溝（２４）と、芯板（１８）に装着したダイアフラム（２１）のシール面（２２）に凹所（２６）を形成し、芯板（１８）の凹溝（２４）に嵌着板（２）の原液通路（４ａ）側を止着して、ダイアフラム（２１）の凹所（２６）に嵌着板（２）の下半部を挿着すると共に、嵌着板（２）に扁平板（３）を差し込んでダイアフラムろ板（１７）を構成し、芯板（１８）の原液供給路（２３）から原液供給板（１）を介してダイアフラム（２１）の前面に原液の供給回路を形成させることを特徴とする請求項１または２に記載のフイルタープレスの原液供給板。
【請求項４】
上記ダイアフラム（２１）の表面に平坦な凹面状の支持床（２０）と、芯板（１８）の他面にろ液溝を有するろ過床（３０）を形成してダイアフラムろ板（１７）を構成すると共に、ダイアフラムろ板（１７・・・）を複数枚並列して、芯板（１８）のろ過床（３０）の前面にろ布（３１）を吊設したことを特徴とする請求項１または２に記載のフイルタープレスの原液供給板。
【請求項５】
ろ板（３７、３７）間に吊設した一対のろ布（３８、３８）の通孔（４１）に嵌着板（２）の原液通路（４ａ）を合着し、ろ板（３７）を貫通する原液供給路（４３）の周部に嵌合部（４４）を形成して、嵌着板（２）をろ布（３８）を隔てて嵌合可能とすると共に、嵌着板（２）に扁平板（３）を差し込んで原液供給板（１）を構成し、ろ板（３７）の原液供給路（４３）から原液供給板（１）を介してろ布（３８、３８）間に原液の供給回路を形成させることを特徴とする請求項１または２に記載のフイルタープレスの原液供給板。
【発明の詳細な説明】
【技術分野】
【０００１】
この発明は、フイルタープレスに並列したろ板間、或いはダイアフラムろ板間などに形成するろ過室に、原液を供給するための原液供給板に関し、特に、原液の供給回路の清掃が容易となる分割可能な原液供給板の改良に関する。
【背景技術】
【０００２】
フイルタープレスは、複数のろ板、またはろ板とダイアフラム、或いは片面ダイアフラム付ろ板を並列し、閉板した時に、前後に連通するろ板の原液供給路から原液供給板に原液を供給し、ろ板間のろ過室に原液を圧入してろ布で固液分離を行なっている。公知のフイルタープレスの原液供給板としては、圧搾ろ板の原液供給路のシール面周縁部の嵌込み孔に原液供給板を嵌め込み、圧搾ろ板の前後両面より原液供給板を締結した装置が、特許文献１に記載してある。また、ろ板と圧搾ろ板の間に一対のろ布を吊設し、それぞれのろ布にボルトで押え板を締付け、このボルトの頭部が互いに突き合って原液供給板を構成する装置も、特許文献２に記載してある。
【特許文献１】特公平２−５６１２２号公報(特許請求の範囲、図1)
【特許文献２】実公平７−５８４７号公報(特許請求の範囲、段落番号００１０、及び図1)
【発明の開示】
【発明が解決しようとする課題】
【０００３】
従来の圧搾ろ板のシール面に原液供給板を取付けたフイルタープレスにあっては、ろ過室が大きく取れ、部品点数も少なくてすむものであるが、原液供給板は厚さが薄く、原液の供給回路が直角に方向転換させるので、原液中に塊状となり易い繊維質や糸状の物質が含まれていると、ろ過操作を繰り返し行なうと閉塞現象を起こし易すい。閉塞した原液供給板の点検・清掃を行なうためには、圧搾ろ板をフイルタープレスから取外し、分解する必要がある。
【０００４】
ろ布に取付けた一対の押え板で構成する原液供給板にあっては、繊維などによる閉塞現象が起こり難く、点検も容易となるものであるが、ろ過操作を繰り返すうちにろ布が伸縮し、一対の押え板の位置がずれ、原液供給の役割を果たさなくなる恐れがある。また、押え板の間にし渣等を咬み込み、押え板やろ布が破損する恐れもある。この発明は従来の課題を解決するために、ダイアフラムろ板から原液供給板を取外すことなく、その一部を着脱可能とし、原液の供給回路の点検と清掃が簡単に行なえる原液供給板を提供する。
【課題を解決するための手段】
【０００５】
この発明の要旨は、前後に貫通する原液通路と、この原液通路から分岐する給液路を設けた二つ割り状の原液供給板において、原液通路を設けた嵌着板に給液路用の凹溝と、この嵌着板の両側部に蟻溝を有する脚部を形成し、扁平板の両側面に差込部を設け、この扁平板を嵌着板に抜差し自在としたもので、原液供給板が繊維などによる閉塞現象を起こしても、扁平板を抜き出せば、取り除くことができる。そして、嵌着板の凹溝の適所に突起部を形成して、この突起部に板バネを配設し、扁平板に板バネの係合溝を設けたもので、ろ過操作を繰り返し行っても、原液供給板の嵌着板から扁平板の脱落が防止され、着脱も容易となる。
【０００６】
請求項３の発明の態様は、ダイアフラムろ板に配設する原液供給板であって、ダイアフラムろ板を貫通する原液供給路の周部に凹溝と、ダイアフラムろ板に装着したダイアフラムのシール面に凹所を形成し、ダイアフラムろ板の凹溝に嵌着板の原液通路側を止着して、ダイアフラムの凹所に嵌着板の下半部を挿着すると共に、嵌着板に扁平板を差し込んでダイアフラムろ板を構成し、ダイアフラムろ板の原液供給路から原液供給板を介してダイアフラムの前面に原液の供給回路を形成させるもので、ダイアフラムろ板から原液供給板を取外すことなく、扁平板を抜き取るだけで原液供給板の点検清掃が行なえるもので、シール効果も得られるものである。
【０００７】
請求項４の発明の態様は、ダイアフラムろ板にろ布を吊設する原液供給板であって、ダイアフラムの表面に平坦な凹面状の支持床と、芯板の他面にろ液溝を有するろ過床を形成してダイアフラムろ板を構成し、ダイアフラムろ板を複数枚並列して、芯板のろ過床の前面にろ布を吊設したもので、ろ布を取外すことなく原液供給板の点検・清掃が行なえる。ろ布が固定されるのでろ布が硬化しても使用することができ、ろ布硬化性スラリーにも対応できる。
【０００８】
請求項５の発明の態様は、ろ布に吊設する原液供給板であって、ろ板に吊設した一対のろ布の通孔に嵌着板の原液通路を合着し、ろ板を貫通する原液供給路の周部に嵌合部を形成して、嵌着板をろ布を隔てて嵌合可能とすると共に、嵌着板に扁平板を差し込んで原液供給板を構成し、ろ板の原液供給路から原液供給板を介してろ布間に原液の供給回路を形成させるもので、ろ布をフイルタープレスから取外すことなく、点検清掃が行なえる。そして、原液供給板をろ板間のシール面に挟み込むこともないものである。
【発明の効果】
【０００９】
この発明に係る原液供給板は上記のように構成してあり、原液供給板を嵌着板と抜差し自在な扁平板で構成したので、繊維塊状物等による閉塞現象が起こっても、扁平板を抜き出せば、点検・清掃が可能となる。原液供給板の分解・組付けが早く行なえて、メンテナンスが容易となる。そして、ろ過操作を繰り返し行なっても、扁平板が脱落することもないものである。この原液供給板をダイアフラムろ板やろ布に配設すれば、フイルタープレスから取外すことなく、閉塞させた繊維等の取り除きが簡単に行なえる。
【発明を実施するための最良の形態】
【００１０】
本願発明の実施例を図面に基づき詳述すると、図１は原液供給板の正面図であって、原液供給板１は、嵌着板２と扁平板３から構成してあり、原液供給板１は前後に貫通する原液通路４と、この原液通路４から直交して分岐する給液路５が設けてある。図２は嵌着板の平面図であって、嵌着板２は上部が半円形状となった縦長の形状で、上半部に前後に貫通した原液通路４ａが設けてある。図３は原液供給板を構成する嵌着板と扁平板の下面図であって、嵌着板２の原液通路４ａの半円形状の中間部から下方に片面を切欠いて開放した凹溝６が形成してあり、この嵌着板２の両側部に内側に蟻溝７を設けた脚部８が配設してある。
【００１１】
図４は扁平板の平面図であって、扁平板３は上部を嵌着板２の原液通路４ａに連通させるように半円形状の切欠き５０を設けてある。図３に示すように、両側面にテーパーを形成して差込部９、９が形成してあり、この扁平板３を嵌着板２の脚部８の蟻溝７に挿入して、嵌着板２と扁平板３の間に給液路５を形成してある。扁平板３の抜き出しが可能となり、繊維などによる閉塞現象が起こっても、分解・組付けが早く行なえて、メンテナンスが容易となる。図２に示すように、嵌着板２の凹溝６の中間部に扁平板３の支持用の突起部１１が設けてあり、嵌着板２の突起部１１に取付溝１２が穿設してある。
【００１２】
図５は嵌着板と扁平板の係止装置の縦断面図であって、この突起部１１に設けた取付溝１２に板バネ１３がビス１５で螺着してあり、板バネ１３の先端部は突起部１１の表面から突出させてある。扁平板３の裏面に係合溝１４が設けてあり、扁平板３を嵌着板２の脚部８の蟻溝７に挿入した時に、板バネ１３の先端部が扁平板３の係合溝１４に嵌入して、扁平板３が嵌着板２から脱落しないように保持させる。原液供給板１を点検・清掃を行なう時には、扁平板３を引出せば、板バネ１３が撓み、嵌着板２から引抜くことができる。ろ過操作を繰り返し行っても、原液供給板１の嵌着板２から扁平板３の脱落が防止され、着脱も容易となる。なお、符号１６は原液供給板１に設けた取付孔である。
【００１３】
図６は原液供給板を取付けたダイアフラムろ板の実施例であって、ダイアフラムろ板１７は、中央部を凹面状に形成した芯板１８の取付面１９にケーキの支持床２０を有するダイアフラム２１が止着してあり、ダイアフラム２１の周縁をシール面２２としてある。芯板１８の取付面１９の肩部に前後に貫通する原液供給路２３が配設してある。図７は原液供給板を取付けたダイアフラムろ板の側面図であって、芯板１８の角部の取付面１９に設けた原液供給路２３の周部に凹溝２４と、この凹溝２４に続けて、ダイアフラム２１のシール面２２に凹所２６が形成してあり、嵌着板２の外径形状に合致させてある。
【００１４】
芯板１８の凹溝２４に嵌着板２の原液通路４ａ側がビス２５で止着してあり、ダイアフラム２１の凹所２６に嵌着板２の下半部を挿着し、嵌着板２に扁平板３を差し込んで原液供給板１を構成してある。芯板１８の原液供給路２３から原液供給板１を介してダイアフラム２１の支持床２０に原液の供給回路を形成する。芯板１８の肩部の取付面１９に原液供給板１を配設すれば、原液がトップサイドから供給されてケーキ水分が均一となる。
【００１５】
図６に示すように、芯板１８の取付面１９の下端角部の一方に、前後に貫通した圧搾水通路２７が設けてあり、芯板１８に穿設した給水孔２８を介してダイアフラム２１の裏面に圧力水を供給して、ダイアフラム２１を膨らますようにしてある。芯板１８の取付面１９の下端角部の他方に、前後に貫通したろ液通路２９が配設してある。図７に示すように、ダイアフラム２１を張設した芯板１８の裏面は、中央部にろ液溝を有するろ過床３０を配設して、平板状に形成してあり、ろ液通路２９が芯板１８の裏面のろ過床３０に連通するようにしてある。圧搾水の供給とろ液の排出をダイアフラムろ板１７の四隅に設ければ、接続ホースが不用となり、ろ過装置の構造が簡単になる。
【００１６】
図８は並列したダイアフラムろ板にろ布を吊設した実施例であって、原液供給板１を取付けたダイアフラムろ板１７が複数枚並列してあり、芯板１８のろ過床３０側の前面にろ布３１が配設してある。ろ布３１の上端を支架した上部支持バー３２が、ダイアフラムろ板１７の両肩に立設した支柱３３、３３にスプリング３４を介して挿通してあり、ろ布３１を揺動自在に支架してある。符号３５は上部支持バー３２の抜け止め用のナットである。並列したダイアフラムろ板１７・・・を閉板すれば、ダイアフラム２１の支持床２０と芯板１８のろ過床３０の間にろ過室３６が形成され、原液供給板１から原液を供給すれば、ろ布３１で固液分離が行なわれ、片面ろ過が行なえる。片面ろ過方式とすれば、従来のようにろ布３１の両面を繋ぐ必要がなく、ろ布３１の取付けが簡単となる。
【００１７】
図９はろ板間に吊設したろ布に原液供給板を用いた他の実施例であって、並列したろ板３７、３７の間に一対のろ布３８、３８が配設してあり、この一対のろ布３８、３８の上端縁を合着して上部ろ布芯金３９に止着し、ろ布３８、３８の下端縁をそれぞれ下部ろ布芯金４０、４０に止着してある。ろ布３８の上方中央部に原液通路用の通孔４１が設けてあり、この通孔４１に図２に示す嵌着板２の原液通路４ａを合着させ、嵌着板２の取付孔１６に取付ボルトなどを挿通して嵌着板２をろ布３８に止着してある。この嵌着板２に図３に示す扁平板３を差し込み、図１の原液供給板１をろ布３８、３８間に吊設してある。
【００１８】
図９に示すように、ろ板３７のシール面４２を貫通する原液供給路４３の周部に嵌合部４４が形成してあり、原液供給板１をろ布３８を隔てて嵌合可能としてある。並列したろ板３７・・・を閉板した時に、前後のろ板３７、３７の嵌合部４４に、ろ布３８に吊設した原液供給板１をろ板３７、３７に挟持させ、ろ板３７のろ過床４５、４５に吊設した一対のろ布３８、３８間にろ過室４６を形成する。ろ板３７の原液供給路４３から原液供給板１を介してろ布３８、３８間に原液の供給回路を形成させ、ろ過室４６に圧入した原液をろ布３８で固液分離を行なう。ろ布３８をフイルタープレスから取外すことなく、点検清掃が行なえる。そして、原液供給板１をろ板３７、３７間のシール面４２に挟み込むこともないものである。
【００１９】
ろ板３７の上方にスプロケット４７と、その下方に位置をずらせた一対のリターンロール４８、４８が配設してあり、ろ布３８の上部ろ布芯金３９に連結した駆動チエーン４９がろ板３７の上方に配設したスプロケット４７に掛け回してある。ろ板３７の前後のろ過床４５、４５に吊設した一対のろ布３８、３８の下端がろ板３７下方のリターンロール４８、４８に近づく方向から遠ざかる方向に掛け回してある。ろ布３８の下端に止着した下部ろ布芯金４０を上方の駆動チエーン４９に連結してシーソー状に昇降できるようにしてあり、ろ布３８、３８を降下させてろ過室４６に生成したケーキを排出する。原液供給板１に繊維などによる閉塞現象が起った時には、ろ布３８に取付けた原液供給板１をろ板３７の下方まで降下させ、扁平板３を嵌着板２から抜出せば、嵌着板２をろ布３８から取外すことなく点検・清掃を行なうことができる。
【産業上の利用可能性】
【００２０】
この発明に係る原液供給板は、ダイアフラムろ板やろ布に取付ける嵌着板と、嵌着板から抜差し自在とした扁平板で構成したので、繊維塊状物等による閉塞現象が起こっても、扁平板を抜き出せば、点検・清掃が可能となり、メンテナンスが容易となる。したがって、繊維質を多く含む下水汚泥や産業排水に用いるフイルタープレスの原液供給板として好適であるが、上水汚泥や化学プラントなど固形分の少ない原液の長時間ろ過に使用するフイルタープレスにも適用できるものである。そして、ろ布固定型やろ布走行型のフイルタープレスの原液供給板として利用できるものである。
【図面の簡単な説明】
【００２１】
【図１】この発明に係るフイルタープレスの原液供給板の正面図である。
【図２】同じく、原液供給板を構成する嵌着板の平面図である。
【図３】同じく、原液供給板を構成する嵌着板と扁平板の下面図である。
【図４】同じく、原液供給板を構成する扁平板の平面図である。
【図５】同じく、嵌着板と扁平板の係止装置の要部縦断面図である。
【図６】同じく、原液供給板を取付けたダイアフラムろ板の正面図である。
【図７】同じく、原液供給板を取付けたダイアフラムろ板の要部縦断面図である。
【図８】同じく、並列したダイアフラムろ板にろ布を吊設した縦断面図である。
【図９】同じく、他の実施例のろ板間に吊設したろ布に原液供給板を用いた縦断面図である。
【符号の説明】
【００２２】
１    原液供給板
２    嵌着板
３    扁平板
４、４ａ  原液通路
５    給液路
６    凹溝
７    蟻溝
８    脚部
９    差込部
１１  突起部
１３  板バネ
１４  係合溝
１７  ダイアフラムろ板
１８  芯板
２０  支持床
２１  ダイアフラム
２２  シール面
２３  原液供給路
２４  凹溝
２６  凹所
３０  ろ過床
３１、３８  ろ布
３７  ろ板
４１  通孔
４３  原液供給路
４４  嵌合部
【図１】
2005144200.tif 000003
【図２】
2005144200.tif 000004
【図３】
2005144200.tif 000005
【図４】
2005144200.tif 000006
【図５】
2005144200.tif 000007
【図６】
2005144200.tif 000008
【図７】
2005144200.tif 000009
【図８】
2005144200.tif 000010
【図９】
2005144200.tif 000011